(57)【要約】手摺部材の連結角度に自在に対応でき、かつ、構造が簡単で手摺取り付け時においても作業が簡単に行いうる連続手摺用自在継ぎ手とすること。【解決手段】２つの手摺部材を連続して連結する自在継ぎ手に以下の手段を採用する。第１に、等分に切断した略半球形状の連結部材を切断面を当接させて使用する。第２に、切断面に対し手摺部材差込方向が傾きを有する嵌合受け部を連結部材と一体に形成する。第３に、一方の連結部材の中心軸から、他方の連結部材の中心軸に向かって挿入穴を挿入口が外部に現れるように形成する。第４に、挿入穴が回動固定用ねじとの間に間隙が生じる大きさで、かつ挿入口が回動固定用ねじのねじ頭より小径に形成する。第５に、挿入穴より他方の連結部材に回動固定用ねじを挿入し両嵌合部の角度を調節した後、該回動固定用ねじを固定する。【選択図】　図１
0003097274.tif 000002
【実用新案登録請求の範囲】
【請求項１】
２つの手摺部材を連続して連結する自在継ぎ手において、等分に切断した略半球形状の連結部材を切断面を当接させて使用する自在継ぎ手とし、連結部材の外周に切断面に対し手摺部材差込方向が傾きを有する嵌合受け部を連結部材と一体に形成し、一方の連結部材の中心軸から、他方の連結部材の中心軸に向かって回動固定用ねじを挿入固定する挿入穴を挿入口が外部に現れるように形成し、挿入側の連結部材の挿入穴が回動固定用ねじとの間に間隙が生じる大きさで、かつ挿入口が回動固定用ねじのねじ頭より小径に形成され、該挿入穴より他方の連結部材に回動固定用ねじを挿入し両嵌合部の角度を調節した後固定することを特徴とする連続手摺用自在継ぎ手。
【請求項２】
切断面に対する嵌合受け部の傾きが約１３５度である請求項１記載の連続手摺用自在継ぎ手。
【考案の詳細な説明】
【０００１】
【考案の属する技術分野】
本考案は、２本の手摺部材を連続して連結するための継ぎ手であって、特に連結部材を切断面を当接させて回転させることにより２本の手摺部材の延長線が交差する角度に合わせて利用可能な連続手摺用自在継ぎ手に関するものである。
【０００２】
【従来の技術】
近年バリアフリーの要請から階段や廊下等に用いられる手摺も図４の手摺の説明図に示されるように連続して連結する必要が生じてきた。この連続連結のための継ぎ手は各種角度に応じた形状の継ぎ手を用意するのが通常であったが、この不便さを解消するため、手摺部材の連結角度を変更可能な自在継ぎ手も開発されてきた。しかし、この種の自在継ぎ手は構造が複雑であり製作コストが高く、かつ、手摺取り付け作業時においても使い勝手が良いものではなかった。
【０００３】
【考案が解決しようとする課題】
本考案は、手摺部材を連続して連結する継ぎ手であって、手摺部材の連結角度に自在に対応でき、かつ、構造が簡単で手摺取り付け時においても作業が簡単に行いうる連続手摺用自在継ぎ手を提供せんとするものである。
【０００４】
【課題を解決するための手段】
本考案は上記課題を解決するため、２つの手摺部材を連続して連結する自在継ぎ手に以下の手段を採用する。第１に、等分に切断した略半球形状の連結部材を切断面を当接させて使用する自在継ぎ手とする。第２に、連結部材の外周に切断面に対し手摺部材差込方向が傾きを有する嵌合受け部を連結部材と一体に形成する。
【０００５】
第３に、一方の連結部材の中心軸から、他方の連結部材の中心軸に向かって回動固定用ねじを挿入固定する挿入穴を挿入口が外部に現れるように形成する。第４に、挿入側の連結部材の挿入穴が回動固定用ねじとの間に間隙が生じる大きさで、かつ挿入口が回動固定用ねじのねじ頭より小径に形成する。第５に、第１の連結部材の挿入穴より他方の連結部材に回動固定用ねじを挿入し両嵌合部の角度を調節した後、該回動固定用ねじを固定する。
【０００６】
【考案の実施の形態】
以下、図示の実施例と共に考案実施の形態について説明する。図１は、本考案に係る自在継ぎ手の正面説明図である。本考案は、第１の手摺部材１と第２の手摺部材２を連続して連結する自在継ぎ手３であって、略球形体を等分に切断した略半球形状の第１の連結部材４と第２の連結部材５とよりなるものである。実施例における自在継ぎ手３は木材を使用して製作されたものであるが、金属および樹脂（プラスチックおよびビニール）を利用することができる。
【０００７】
第１および第２の連結部材４，５の外周には、図２の分解断面図に示されるように切断面６，７に対し手摺部材１，２の差込方向が傾きを有する嵌合受け部８，９が形成されている。該傾きは、切断面６，７に対して嵌合受け部８，９の手摺部材１，２差込方向が約１３５度の傾きにすることが実用上好ましい。
【０００８】
上記角度にすれば嵌合受け部８，９が作り出す角度は９０度から１８０度となる。手摺が通常取り付けられる壁面のなす角度は９０度より鋭角となることはなく、上記角度で十分対応しうるものである。勿論この角度に限定されるわけではない。尚、実施例における嵌合受け部８，９は、第１および第２の連結部材４，５と一体に形成されている。
【０００９】
第１の連結部材４の中心軸から、第２の連結部材５の中心軸に向かって回動固定用ねじ１０の挿入穴１１が形成される。実施例における回動固定用ねじ１０には木ねじが利用されている。回動固定用ねじ１０の挿入側の第１の連結部材４の挿入穴１１は回動固定用ねじ１０との間に間隙が生じる大きさで挿入口１２が図２に示すように外部に現れ、かつ、回動固定用ねじ１０のねじ頭１３より小径の大きさに形成されている。
【００１０】
尚、図２に現れるように実施例では第２の連結部材５にも挿入穴１４が穿設されているが、この挿入穴１４は、回動固定用ねじ１０の径と合致する。また、連結部材４，５が実施例のごとく木材等の軟質材料の場合には、この挿入穴１４は必ずしも必要ではない。回動固定用ねじ１０が木ねじであれば、回転させながら第２の連結部材５に押し込むことができるからである。
【００１１】
以下、本考案に係る連続手摺用自在継ぎ手の利用方法について説明する。第１の連結部材４の挿入穴１１より回動固定用ねじ１０を第２の連結部材５に向かって回転挿入する。第２の連結部材５に回動固定用ねじ１０が挿入された状態で、第１の連結部材４と第２の連結部材５は連結されるれるが、挿入穴１１と回動固定用ねじ１０との間には間隙があるので、第１の連結部材４は回動固定用ねじ１０を支軸に自由に角度を変化させることができるのである。
【００１２】
両嵌合受け部８，９の連結角度を決定した後、さらに回動固定用ねじ１０を回転させ押し込むと、ねじ頭１３が、挿入穴１１の挿入口１２内面に押しつけられ、第１の連結部材４と第２の連結部材５とは固定されるのである。
【００１３】
【考案の効果】
本考案は如上のように構成されるため手摺部材を連続して連結する継ぎ手において、手摺部材の連結角度に自在に対応でき、かつ、構造が簡単で手摺取り付け時においても作業が簡単な連続手摺用自在継ぎ手となった。
【００１４　】
さらに、本考案は切断した略半球形状の連結部材を切断面を当接させて使用するものであるため、手摺利用者が手で接する部分の表面が丸くなっており、安全な連続手摺用自在継ぎ手となった。
【図面の簡単な説明】
【図１】本考案に係る自在継ぎ手の正面説明図
【図２】自在継ぎ手の断面図
【図３】本考案の角度調節を示す説明図
【図４】本考案を利用した手摺の説明図
【符号の説明】
１，２．．．．．．．手摺部材
３．．．．．．．．．自在継ぎ手
４，５．．．．．．．連結部材
６，７．．．．．．．切断面
８，９．．．．．．．嵌合受け部
１０．．．．．．．．回動固定用ねじ
１１，１４．．．．．挿入穴
１２．．．．．．．．挿入口
１３．．．．．．．．ねじ頭
【図１】
0003097274.tif 000003
【図２】
0003097274.tif 000004
【図３】
0003097274.tif 000005
【図４】
0003097274.tif 000006